【事件の表示】
　上記当事者間の特許第３００５７６６号発明「インサ―ト用ケ―ブル支持具取付方法及びインサ―ト用ケ―ブル支持具」の特許無効審判事件について、次のとおり審決する。
【結　論】
　訂正を認める。
　本件審判の請求は、成り立たない。
　審判費用は、請求人の負担とする。
【理　由】
【１】手続の経緯
（１）本件特許は、平成１１年１月２０日に特許出願され、同年１１月２６日に特許の設定登録がなされた。
（２）請求人は、平成１７年４月１１日に本件無効審判の請求をし、本件特許発明は、その具体的構成が不明であるから特許法第３６条第６項第２号の規定する要件を満たしておらず（無効理由１）、また、甲第１〜７号証記載の発明に基づいて当業者が容易に発明をすることができたものであるから特許法第２９条第２項の規定に違反してなされたものであり（無効理由２）、したがって、特許法第１２３条第１項第２，４号の規定により無効とすべきものである旨の主張をし、証拠方法として、以下の甲第１〜７号証を提出した。
　甲第１号証：実公平７−５２８０４号公報
　甲第２号証：実願昭５８−１３７２２２号（実開昭６０−８２９２１号）のマイクロフィルム
　甲第３号証：特公平６−８５７３号公報
　甲第４号証：「’９７−’９８電設総合カタログ」（１８１頁、日動電工株式会社発行）
　甲第５号証：実公平２−１７０４８号公報
　甲第６号証：意匠登録第１０２４９１５号公報
　甲第７号証：「’９８電設資材総合カタログ」（２２６頁、未来工業株式会社発行）
（３）被請求人は、平成１７年７月６日付けで訂正請求書を提出し訂正を求めるとともに、同日付けの答弁書において、訂正後の請求項１〜５に係る発明に、請求人が主張する無効理由はない旨の主張をした。
（４）請求人は、平成１７年７月２６日付けで上申書を提出した。
　
【２】訂正の適否についての判断
（１）訂正の内容は、以下（ア）〜（エ）のとおりである。
（ア）【請求項１】を、次のとおり訂正。
「デッキプレートの上面に孔開け用の工具でインサート装着用の装着孔を開穿し、この装着孔の上から装着孔に装着したインサートの下端部にケーブル支持具を設けるインサート用ケーブル支持具取付方法において、インサートの下端に予めケーブル支持具を連結し、装着孔の上から
、ケーブルを係止せしめる係止部を有する
（イ）【請求項２】を、次のとおり訂正。
「デッキプレートの上面に孔開け用の工具でインサート装着用の装着孔を開穿し、インサートの下端に予め連結
されケーブルを係止せしめる係止部を有する
の前記係止部
（ウ）段落【０００６】を次のとおり訂正。
「【課題を解決するための手段】上述の目的を達成すべく本発明の第１の手段は、デッキプレートＰの上面に孔開け用の工具でインサートＳ装着用の装着孔Ｐ１を開穿し、この装着孔Ｐ１の上から
、ケーブルＱを係止せしめる係止部１Ｂを有する
（エ）段落【０００７】を次のとおり訂正。
「また、第２の手段は、デッキプレートＰの上面に孔開け用の工具でインサートＳ装着用の装着孔Ｐ１を開穿し、インサートＳの下端に予め連結
されケーブルＱを係止せしめる係止部１Ｂを有するケーブル支持具１
の前記係止部１Ｂ
（２）上記訂正事項（ア）（イ）は、訂正前の請求項１，２に記載されていた「ケーブル支持具」について、段落【００１６】の「係止部１Ｂは、ケーブルＱを係止する部分」等の記載に基づき限定を加えたものであり、特許請求の範囲の減縮を目的とした訂正に該当する。
　また、上記訂正事項（ウ）（エ）は、明細書の発明の詳細な説明の記載を上記特許請求の範囲の訂正に対応させるものであり、明りょうでない記載の釈明を目的とした訂正に該当する。
　そして、いずれの訂正も願書に添付した明細書又は図面に記載した事項の範囲内であり、実質的に特許請求の範囲を拡張又は変更するものではない。
（３）したがって、当該訂正は、特許法第１３４条の２第１項ただし書き、及び、同条第５項において準用する同第１２６条第３，４項の規定に適合するので、当該訂正を認める。
　
【３】本件特許発明
　本件特許の請求項１〜５に係る発明（以下、それぞれ「本件発明１」、「本件発明２」等という。）は、訂正後の特許明細書の特許請求の範囲に記載された事項により特定される次のとおりのものである。
「【請求項１】デッキプレートの上面に孔開け用の工具でインサート装着用の装着孔を開穿し、この装着孔の上から装着孔に装着したインサートの下端部にケーブル支持具を設けるインサート用ケーブル支持具取付方法において、インサートの下端に予めケーブル支持具を連結し、装着孔の上から、ケーブルを係止せしめる係止部を有するケーブル支持具を挿入して装着孔にケーブル支持具ごとインサートを装着することを特徴とするインサート用ケーブル支持具取付方法。
　【請求項２】デッキプレートの上面に孔開け用の工具でインサート装着用の装着孔を開穿し、インサートの下端に予め連結されケーブルを係止せしめる係止部を有するケーブル支持具を装着孔の上から挿入して装着孔にインサートをケーブル支持具ごと装着するインサート用ケーブル支持具取付方法において、デッキプレートの下面に突出したケーブル支持具の前記係止部に、床上から刺股状の係止具でケーブルを係止配線することを特徴とするインサート用ケーブル支持具取付方法。
　【請求項３】インサートの下端に予め連結され、デッキプレートの上面から開穿された装着孔の上から挿入するインサート用ケーブル支持具において、インサートの下端に連結され鉛直下方に延長する連結部と、この連結部から湾曲して延長された係止部の先端に直線状の装着孔導入部を設けたことを特徴とするインサート用ケーブル支持具。
　【請求項４】インサートの下端に予め連結され、デッキプレートの上面から開穿された装着孔の上から挿入するインサート用ケーブル支持具において、インサートの下端に連結され鉛直下方に延長する連結部と、この連結部から延長された略コイル形状の係止部とを設けたことを特徴とするインサート用ケーブル支持具。
　【請求項５】インサートの下端に予め連結され、デッキプレートの上面から開穿された装着孔の上から挿入するインサート用ケーブル支持具において、インサートの下端に連結され鉛直下方に延長する連結部と、この連結部に沿って折り返し延長されて、複数本のケーブルを並列状態で圧着係止する係止部とを設けたことを特徴とするインサート用ケーブル支持具。」
　
【４】無効理由１についての検討
（１）請求人は、請求項１の「インサート」、「ケーブル支持具」、「インサート用ケーブル支持具」、請求項２の「刺股状の係止具」、「係止配線」、請求項３の「鉛直下方に延長する連結部」、「連結部から湾曲して延長された係止部」、「装着孔導入部」、請求項４の「略コイル形状の係止部」、請求項５の「圧着係止する係止部」という各用語には、いずれも技術用語として確立した定義が存在せず、当該定義は特許明細書の発明の詳細な説明中にも記載されておらず不明であるから、本件発明１〜５の具体的構成が不明であると主張する。
（２）しかし、上記各用語の意味は、本件発明１〜５の属する技術分野の当業者にとって何ら不明とはいえず、また、特許明細書の発明の詳細な説明及び図面を参酌すれば、一層明確に理解し得るものである。
（３）したがって、無効理由１には、理由がない。
　
【５】無効理由２についての検討
（１）甲号各証記載の技術的事項
　甲第１号証には、「床型枠に開穿した取付孔に挿入する差込部と、この差込部の上部に設けられ、取付孔の上部開口縁に係止する係止部とを設け、これら差込部と係止部とを貫通する貫通孔にケーブルを結束支持する可撓性の線状緊締具を挿入固定し、係止部は床型枠の上方に突出し緊締具はこの係止部の更に上方にループ状を成して係止したことを特徴とする床型枠用ケーブル支持インサート。」が、記載されている。
　甲第２号証には、頭部に配線を引っかける部分を設けた「配線用引出棒」が、記載されている。
　甲第３号証には、「建築中にある建物の上階床スラブの下面に設けられた固定部材に固着されて垂下された、切断部が周囲の天井仕上面の模様や凹凸に同化する太さの細線と、その細線に対して摺動可能でありかつ摩擦力で滑り止めされる結合体とからなり、該結合体に、建築中にある建物で使われる仮設懸架物を吊持するように構成したことを特徴とする仮設懸架物の吊持装置。」が、記載されている。
　甲第４号証には、高所の電気配線を床上から操作するための略Ｙ字状の延線ガイド工具が、記載されている。
　甲第５号証には、「挿入された所定の吊杆部材がねじ込まれるナツト、吊杆部材周面に略喰い込む傾斜立ち上がり状の複数の圧止爪片を挿通孔周囲に有する適数の係止盤を下方から順次内装し、ナツトの雌ネジ孔、係止盤の挿通孔の内法幅員を下方から順次小さくすると共に、２分割結合されたボツクス状の係合支持体と、この係合支持体周囲に形成した嵌合段部に嵌合係止する嵌合隆部を開口縁内がわに突出形成し、係合支持体に施蓋されるキヤツプ体と、仮枠パネル面に止着される仮止スタツトぶざいもしくは床版プレートに嵌合連結可能にし、かつ前記吊杆部材が挿通されるようになつている嵌合連結筒に、前記係合支持体下部に連結手段にて嵌合連結される連結筒を係止段部を介して一体形成した嵌合柱体とから構成したことを特徴とするインサート装置。」が、記載されている。
　甲第６，７号証には、デッキプレートに穿設した取付孔から挿入固定して下部に設けたバンド部にケーブルを引掛けるようにしたケーブル支持具が、記載されている。
　
（２）対比・判断
　本件発明１〜５と甲号各証記載の発明とを対比すると、甲号各証には、
　本件発明１の「インサートの下端に予めケーブル支持具を連結し、（デッキプレートの）装着孔の上から、ケーブルを係止せしめる係止部を有するケーブル支持具を挿入して装着孔にケーブル支持具ごとインサートを装着する」という技術的事項、
　本件発明２の「インサートの下端に予め連結されケーブルを係止せしめる係止部を有するケーブル支持具を装着孔の上から挿入して装着孔にインサートをケーブル支持具ごと装着」し「デッキプレートの下面に突出したケーブル支持具の前記係止部に、床上から刺股状の係止具でケーブルを係止配線する」という技術的事項、
　本件発明３の「インサートの下端に連結され鉛直下方に延長する連結部と、この連結部から湾曲して延長された係止部の先端に直線状の装着孔導入部を設けた」という技術的事項、
　本件発明４の「インサートの下端に連結され鉛直下方に延長する連結部と、この連結部から延長された略コイル形状の係止部とを設けた」という技術的事項、
  本件発明５の「インサートの下端に連結され鉛直下方に延長する連結部と、この連結部に沿って折り返し延長されて、複数本のケーブルを並列状態で圧着係止する係止部とを設けた」という技術的事項について、何等記載されておらず、示唆もない。
　そして、本件発明１〜５は、上記各技術的事項を具備することにより明細書記載の次の作用効果を奏するものであり、これらの作用効果は、甲号各証記載のものからは期待できないものである。
「【００１９】【発明の効果】本発明は、上述の如く構成したことにより、当初の目的を達成する。すなわち請求項１記載の取付方法により、デッキプレートＰの上面からインサートＳと共にケーブル支持具１を装着できるようになったので、天井面ができ上がるまでの過程に左右されずにインサート取り付け作業からケーブル支持作業までの作業を効率を上げることが可能になった。
　【００２０】また、請求項２に記載の係止具Ｒを使用する取付工法によって、デッキプレートＰ下面のケーブル支持具１にケーブルＱを装着する場合でも、従来のような脚立や足場を使用した高所での危険な作業がなくなった。
　【００２１】請求項３乃至請求項５記載のケーブル支持具１により、デッキプレートＰに開穿された装着孔Ｐ１内に、インサートＳと共に挿入して装着することが可能になった。
　【００２２】このように、本発明によると、デッキプレートＰの上面からインサートＳと共にケーブル支持具１を装着できるようになったので、天井面ができ上がるまでの過程に左右されずにインサート取り付け作業からケーブル支持作業までの作業効率を上げることが可能になり、しかも、脚立や足場を使用した高所での危険な作業も必要無くなるなどといった有益な種々の効果を奏するものである。」
　したがって、本件発明１〜５は、甲第１〜７号証に記載された発明に基づいて当業者が容易に発明をすることができたものとはいえない。
　
【５】むすび
　以上のとおりであるから、請求人の主張及び証拠方法によっては、本件発明１〜５の特許を無効とすることはできない。
　審判に関する費用については、特許法第１６９条第２項の規定で準用する民事訴訟法第６１条の規定により、請求人が負担すべきものとする。
　よって、結論のとおり審決する。